(57)【要約】      （修正有）【課題】おむつ等のにおいを収納袋内でいち早く吸着し、外への拡散を遮断し、処分の容易な汚物収納袋を提供する。【解決手段】放射線グラフト重合法を利用した消臭・抗菌シートを内面に装着する。【選択図】図１
0003181535.tif 000002
【実用新案登録請求の範囲】
【請求項１】
放射線グラフト重合法を利用して消臭及び／又は抗菌機能を付与した消臭・抗菌シートを袋内に保持させた汚物収納袋
【請求項２】
消臭・抗菌シートの保持位置に関し、消臭機能が主たる場合、開口部付近に位置させ、抗菌機能が主たる場合、底部付近に位置させる請求項１記載の汚物収納袋
【請求項３】
消臭・抗菌シートと吸水性材料とを併用した請求項１又は２記載の汚物収納袋
【考案の詳細な説明】
【技術分野】
【０００１】  本考案は消臭及び／又は抗菌シートを保持させた汚物収納袋に関する。
【背景技術】
【０００２】  近年、においに対する感覚が繊細になり、従来問題とはならなかった使用済みおむつ、運動着、着替え等のにおいに対しても多くの人が不快感を示すようになった。また、感染症の拡大を防止する必要性からも病人が使用した衣類、病院から発生する各種汚染物等の汚物を安全に収納することが求められている。【０００３】  従来の汚物収納袋には、例えば、特開平３−５１２０１、特開２００４−８１０７８のように不透水性の袋内に吸水性材料を保持させ、汚物の吸収によって袋外への漏出防止を図るものが多かった。吸水材へ消臭液を浸み込ませることも行われていた（特開２００４−８１０７８）。【０００４】  しかしながら、汚物の漏れに対する対策は図られているが、消臭や抗菌に対し十分な効果を発揮するものがなかった。そのため、消臭速度が小さく即効性がない、消臭効果が持続しないなど問題点が多かった。
【先行技術文献】
【特許文献】
【０００５】
【特許文献１】特開平３−５１２０１
【特許文献２】特開２００４−８１０７８
【考案の概要】
【考案が解決しようとする課題】
【０００６】  本考案は、上記観点からなされたものであり、おむつ等のにおいを収納袋内でいち早く吸着し、外への拡散を完全に遮断し処分の容易な汚物収納袋を提供することを目的とする。また、病人や病院からの汚物に対してもバリア性が高く廃棄処分の容易な安全性に配慮した汚物収納袋を提供することを目的とする。
【課題を解決するための手段】
【０００７】  放射線グラフト重合法を利用して消臭機能及び／又は抗菌機能を付与した消臭・抗菌シートを保持させた汚物収納袋【０００８】  消臭・抗菌シートの保持位置に関し、消臭機能が主たる場合、開口部付近に位置させ、抗菌機能が主たる場合、底部付近に位置させる汚物収納袋【０００９】  消臭及び／又は抗菌機能を有する消臭・抗菌シートと吸水性材料とを併用した汚物収納袋【００１０】  本考案者は、鋭意研究を重ねた結果、以上の考案により課題を解決できることを見出した。即ち、放射線グラフト重合法を利用して有機高分子繊維にイオン交換機能及び親水基を導入したものを繊維シートにし、袋内に装着させることでにおいを素早く吸着することができ、周囲への拡散を防止できることが分かった。【００１１】  イオン交換基はイオン交換作用による消臭効果に加え、優れた保水機能を有しているため、汚物からの液体の漏れなどを防止できる。もちろん、従来の吸水材料を併用してもよく液体の量によって適宜選択できる。イミノジ酢酸基のようなキレート基もイオン交換基の一種とみなせる。【００１２】  また、イオン交換基は再生型及び塩型の両方とも利用できる。カチオン交換基は再生型でアンモニア等の塩基性ガス臭に極めて効果的である。銅型や亜鉛型は硫黄系のにおいの吸着に効果がある。また、抗菌性も発揮される。【００１３】  アニオン交換基は再生型では有機酸臭の吸着に効果がある。三ヨウ化物イオンを吸着させたものはヨウ素を徐々に放出するため、抗菌や抗ウィルス効果が高い。特に、ビニルピロリドングラフト物に三ヨウ化物イオンを吸着させたものは、吸着量によるがヨウ素を放出しやすく袋内の抗菌・抗ウィルス効果が高い。【００１４】  放射線グラフト重合法でイオン交換基等の機能を導入する基材としては繊維状が好ましい。  加工の自由度が大きく、織布や不織布などシート状に成型加工が容易である。シート状の繊維は粘着剤を介してそのまま袋に装着できる。【００１５】  例えば、特開平１−２５８７４０に記載の先行技術を利用することができる。この先行技術には放射線グラフト重合法を利用して繊維にイオン交換基が導入され、アンモニア等のガス成分の吸着に利用できるという技術が開示されている。【００１６】  また、水又はアルコール水和物に溶解性を持つ基材に放射線グラフト重合法を利用し消臭機能を導入したものは、消臭液として利用できる。これを織布や不織布などシートに塗布したものも同様の効果が得られる。例えば、消臭液の製造方法としては特開平２００３−８８７５５に記載の先行技術を利用できる。【００１７】  この先行技術では、基材には特に制限はない。例えば、ブドウ糖などの糖類、アスコルビン酸などビタミン類、澱粉、カルボキシメチルセルロースなどの水溶性物質を選択することができる。その場合、グラフト物が液体であるため、この液体を繊維に含浸固定させることで、繊維にグラフト重合を行った場合の消臭・抗菌効果と同様の効果が発揮できる。【００１８】  一つの繊維シートに消臭と抗菌・抗ウィルス機能の両方を導入してもよいし、消臭機能を有する繊維シートと抗菌・抗ウィルス機能を有するシートを別に用意して併用しても良い。【００１９】  また、繊維に放射線グラフト重合を��ったシート材料と消臭液を塗布したシート材料を併用しても良い。【００２０】  消臭・抗菌シートの貼り付け位置は消臭機能に重点を置けば、袋の開口部近く、好ましくは袋の底から開口部までの距離の半分より開口部側にあることが好ましい。【００２１】  におい成分は気相に存在するため、汚物の下になれば接触効率が悪くなる、また、汚物中の液体に接触するとイオン交換基の官能基が消費される畏れもある。したがって、消臭シートを袋の上方の開口部付近に位置させるのが良い。【００２２】  微生物やウィルスは液体中に存在する場合が多く、抗菌機能に重点を置けば、抗菌シートを底部付近に位置させるのが良い。もちろん、取り付け位置は使用条件によって決めることができ、両方を上下逆に取り付けてもよい。【００２３】  汚物中の液体量が多い場合は、消臭・抗菌シートと吸水性材料とを併用することで効果が発揮できる。【００２４】  消臭・抗菌シートを袋に保持させる手段としては、粘着剤や接着剤などをシートの片側に付与し、袋と接合させてもよい。【００２５】  また、粘着剤と剥離紙をから成るシート状物を袋とは別に用意し、使用前に袋に貼りつけてもよい
【考案の効果】
【００２６】  おむつ等のにおいを汚物収納袋内でいち早く吸着し、外への拡散を完全に遮断し、処分も容易である。また、病人や病院からの汚物に対してもバリア性の高い袋を用いることで、袋内で安全に微生物やウィルスを死滅させることができる。快適で安全な生活環境の維持に極めて効果がある。
【図面の簡単な説明】
【００２７】
【図１】  本考案の消臭機能を重視した汚物収納袋の一実施例を示す図
【図２】  本考案の抗菌機能を重視した汚物収納袋の一実施例を示す図
【考案を実施するための形態】
【００２８】  本考案に使用する基材は繊維の集合体である織布や不織布またはこれらの加工品を使用することができる。繊維の材質としては、天然及び合成など自由に選択できる。繊維径や厚み、目付なども使用目的や使用環境等により自由に選択できる。
【００２９】  繊維材質としては、綿、麻等の天然セルロース系繊維、単一のセルロース系繊維の糸又は複数のセルロース系繊維の混紡糸、セルロース系繊維とポリエステル系、ポリアミド系、アクリル系、ポリ塩化ビニル系、ポリ塩化ビニリデン系、ポリエチレン系、ポリプロピレン系、ポリウレタン系、ポリビニルアルコール系、フッ素系等の合成繊維との混紡糸、鉱物系繊維との混紡糸、羊毛等の獣毛繊維、絹等の動物性繊維との混紡糸、再生繊維との混紡糸が含まれる。また、再生セルロース系繊維、半合成系繊維、合成繊維、再生繊維の場合は、長繊維（フィラメント糸）であっても、紡績糸であってもよく、複数の繊維を混紡したものでもよい。
【００３０】  また、繊維物質には、ビスコースレーヨン、銅アンモニア法レーヨン、ポリノジック等の再生セルロース繊維、テンセル等の精製セルロース繊維、アセテート、ジアセテート等の半合成繊維、石綿、玄武岩繊維等の鉱物系繊維、羊毛等の獣毛繊維、絹等の動物性繊維、ポリエステル系、ポリアミド系、アクリル系、ポリ塩化ビニル系、ポリ塩化ビニリデン系、ポリエチレン系、ポリプロピレン系、ポリウレタン系、ポリビニルアルコール系、フッ素系等の合成繊維、キチン・キトサン繊維、コラーゲン繊維など既存の繊維が利用できる。
【００３１】  放射線グラフト重合法によるイオン交換機能の付与は、繊維基材を電子線やガンマ線照射した後、イオン交換基を有する重合性単量体の溶液に浸漬し、所定時間反応させることで容易に導入できる。例えば、重合性単量体がスチレンスルホン酸の場合、上記のようなグラフト重合法で２ｍｍｏｌ／ｇ以上のイオン交換容量を容易に得ることができる。
【００３２】  また、イオン交換基に転換可能な重合性単量体としてメタクリル酸グリシジルをグラフト重合する場合は、繊維シートを照射した後、メタクリル酸グリシジルの溶液に浸漬し、所定時間反応させることで、容易にメタクリル酸グリシジルグラフト物を得ることができる。その後、亜硫酸ナトリウム、イソプロピルアルコール、水の混合溶液に浸漬し、加温しながら所定時間スルホン化を行うことで、２ｍｍｏｌ／ｇ以上のイオン交換容量を得ることができる。
【００３３】  アニオン交換基や非イオン性親水基の場合も、上記カチオン交換基の場合と同様の反応で、アニオン交換基や非イオン性親水基を導入できる。
【００３４】  糖類などのように水やアルコールに可溶な基材の場合は、重合性単量体と基材を混合溶液にし、ガンマ線を照射することで所定の官能基を基材に導入した液体ができる。この液体を繊維シートに浸み込ませ、乾燥させることで繊維上に固定化ができる。
【００３５】  汚物収納袋へ消臭・抗菌シートを保持するには粘着剤をシートの片面に付与し、袋内に装着するなど、袋の形状、汚物の種類など使用条件によって適宜選択できる。粘着剤としてはアクリル系、ゴム系、シリコン系などを利用できる。
【００３６】  汚物収納袋と消臭・抗菌シートの接した面と反対側の面、即ち汚物と接する面は消臭・抗菌シートがそのまま曝露された状態であってもよいし、通気性シートを積層したものでも良い。ポリエチレン製メッシュシートをはじめ、空隙を有するシート状物から選択できる。不織布、織布なども利用できる。また、粘着剤や接着剤を用いて袋内面に点付してもよい。
【実施例】
【００３７】  直径１５μｍのポリエチレン製繊維より成る目付３０ｇ／ｍ２の不織布にガンマ線を１００ｋＧｙ照射した。その後、スチレンスルホン酸ナトリウム／Ｎ−ビニルピロリドン／水（２／２／６、重量比）溶液に浸漬し、４０℃、５時間反応させ、グラフト率８５％を得た。この繊維はアンモニア除去に有効なスルホン酸基が１．４ｍｅｑ／ｇであった。【００３８】  この消臭繊維シート３ｃｍ×２５ｃｍを切り取り、２５ｃｍ幅×２８ｃｍ高のポリエチレン製チャック付ポリ袋のチャック部分の下方２ｃｍの位置に図１に示すように点付した。【００３９】  この袋の中にアンモニアを浸み込ませた布を入れ、チャックを閉じた。１時間後に開封したところ、アンモニアのにおいはほとんど消えていた。【００４０】  比較実験として消臭シートを装着しない袋で同様の実験を行った。１時間後に開封したところ強いアンモニア臭が残存していた。
【符号の説明】
【００４１】  １  汚物収納袋
２  放射線グラフト重合法により消臭・抗菌機能を導入した繊維シート（消臭用）
３  チャック
４  放射線グラフト重合法により消臭・抗菌機能を導入した繊維シート（抗菌用）
【図１】
0003181535.tif 000003
【図２】
0003181535.tif 000004